(57)【要約】  本発明は、特に、タップ付変成器の負荷タップ切換器における、遮断切換、開閉切換又は転換切換用の機械式スイッチ接点（１０）に関し、それぞれ二つの終端位置の間を旋回可能である、通電されている形で相互接続された少なくとも二つの接点フィンガー又は接点フィンガー集合体（１２，１４）が配備されており、それらが、それぞれ複式レバー継手（１６）を介して、回転可能な切換シャフト（１８）と連動する形で接続されており、その切換シャフトは、複式レバー継手（１６）を操作するとともに、それと連動して接点フィンガー又は接点フィンガー集合体（１２，１４）の位置をずらすための巡回する案内ジブ（２４）を備えている。
2013527565.tif 000002
【特許請求の範囲】
【請求項１】
特に、タップ付変成器の負荷タップ切換器における、遮断切換、開閉切換又は転換切換用の機械式スイッチ接点（１０）であって、
それぞれ二つの終端位置の間を旋回可能である、通電されている形で相互接続された少なくとも二つの接点フィンガー又は接点フィンガー集合体（１２，１４）が配備され、それらが、それぞれ複式レバー継手（１６）を介して、回転可能な切換シャフト（１８）と連動する形で接続されており、その切換シャフトは、複式レバー継手（１６）を操作するとともに、それと連動して接点フィンガー又は接点フィンガー集合体（１２，１４）の位置をずらすための巡回する案内ジブ（２４）を備えている機械式スイッチ接点。
【請求項２】
この機械式スイッチ接点が遮断スイッチ、開閉スイッチ又は転換スイッチとして構成されており、両方の旋回可能な接点フィンガー又は接点フィンガー集合体（１２，１４）が、回転可能な切換シャフト（１８）に対して平行に配置された、通電されている共通のシャフト（２０）に軸支されており、両方の旋回可能な接点フィンガー又は接点フィンガー集合体（１２，１４）の各々には、遮断スイッチ、開閉スイッチ又は転換スイッチをそれぞれ切り換えるべき終端位置を構成する別個の機械式の通電されているストッパー（２６，２８）が対応している請求項１に記載の機械式スイッチ接点。
【請求項３】
機械式スイッチ接点（１０）の第一の終端位置では、第一の接点フィンガー又は第一の接点フィンガー集合体（１２）が、それに対応する通電されている機械式ストッパー（２６）に当接して、通電されている共通のシャフト（２０）とストッパー（２６）の間の通電接続を形成する一方、第二の接点フィンガー又は第二の接点フィンガー集合体（１４）が、それに対応する通電されている機械式ストッパー（２８）から引き離されている請求項１又は２に記載の機械式スイッチ接点。
【請求項４】
機械式スイッチ接点（１０）の第二の終端位置では、第一の接点フィンガー又は第一の接点フィンガー集合体（１２）が、それに対応する通電されている機械式ストッパー（２６）から引き離されている一方、第二の接点フィンガー又は第二の接点フィンガー集合体（１４）が、それに対応する通電されている機械式ストッパー（２８）に当接して、通電された共通のシャフト（２０）とストッパー（２６）の間の通電接続を形成する請求項３に記載の機械式スイッチ接点。
【請求項５】
両方の旋回可能な接点フィンガー又は接点フィンガー集合体（１２，１４）が、機械的に相互接続されており、僅かに互いに遅れて操作可能又は旋回可能であり、それにより切換可能である請求項４に記載の機械式スイッチ接点。
【請求項６】
接点フィンガー又は接点フィンガー集合体（１２，１４）が、切換シャフト（１８）の回転方向に関係無く操作可能であり、この切換シャフトが、繰り返し回転運動した場合に、それぞれ両方の旋回可能な接点フィンガー又は接点フィンガー集合体（１２，１４）の同じ形態の旋回運動を引き起こす請求項１から５までのいずれか一つに記載の機械式スイッチ接点。
【請求項７】
案内ジブ（２４）が、それぞれ切換シャフト（１８）と一緒に回転しない形で接続された円板カム（２２ａ，２２ｃ，２２ｃ）に配置されており、それぞれ各複式レバー継手（１６）を操作するためのボルト（３６）を案内して、その位置をずらす請求項１から６までのいずれか一つに記載の機械式スイッチ接点。
【請求項８】
各複式レバー継手（１６）の片側をフレーム又は筐体に固定されている形で軸支された第一のレバー（３２）が、案内ジブ（２４）に沿ってスライドするボルト（３６）を備えるとともに、その自由端（３８）が、接点フィンガー又は接点フィンガー集合体（１２，１４）に旋回可能な形で係合された第二のレバー（３４）と連結されている請求項７に記載の機械式スイッチ接点。
【請求項９】
当該のボルト（３６）が、第一のレバー（３２）のフレーム又は筐体に固定された軸受け（４０）と自由端（３８）の間に配置されている請求項８に記載の機械式スイッチ接点。
【発明の詳細な説明】
【技術分野】
【０００１】
本発明は、特に、独立請求項の特徴を有するタップ切換器の負荷開閉器における電気接点の転換切換、遮断切換又は開閉切換用の機械式スイッチ接点に関する。
【背景技術】
【０００２】
制御変成器のタップ切換器用の周知の負荷転換スイッチは、大抵所謂抵抗式高速転換切換部を備えており、そのスイッチ接点のシャフトは、円板カム式伝動機構によって制御され、その伝動機構は、更にエネルギー蓄積部によって駆動されている。その場合、円板カムは、二つの終端位置の間を往復運動する形で、詳しくは、セレクタのその時々の運動方向と関係無く動いている。それは、円板カムの第一の回転方向に対して最初に閉じられる接点が逆方向の動きに対して最初に開かれることを意味する。円板カムの同じ回転方向に対して最初に開かれた接点は、逆方向の動きに対して最後に閉じられている。
【０００３】
特許文献１は、タップ切換器用の二極遮断のための機械式スイッチ接点を開示している。そのスイッチ接点は、球形の接点領域として構成された固定接点が配置された絶縁支柱を備えている。更に、その絶縁支柱には、所定の角度だけ旋回可能なスイングアームと接続された接点支柱が回転可能な形で軸支されている。そのスイングアームの自由端には、接点部材が固定されており、その接点部材側では、両端に接点ローラが配備されている。それらの接点ローラによって、固定接点を選択的に切り換えることが可能である。スイングアームの位置に応じて、接点ローラが、それぞれ対向して配置された固定接点の球形の表面と当接し、そのようにして、それぞれ電気接点の接続部を形成している。
【０００４】
負荷タップ切換器における転換切換用の別の機械式スイッチ接点が特許文献２により周知である。その機械式スイッチ接点も、切換可能な固定接点が配置された絶縁支柱を備えている。更に、その絶縁支柱には、スイッチレバーが回転可能な形で軸支されており、そのスイッチレバーの二つの自由端の中の一方には、スイングアームが配備され、他方の自由端には、操作用カムが設けられている。そのスイッチレバーは、操作用カムに力が加わった場合に、それぞれ二つの静止状態の中の一方から他方の静止状態に飛躍的に旋回可能である。更に、その絶縁支柱には、別の軸受けの回りを旋回可能な接点筐体が軸支されており、その接点筐体は、それぞれ切り換えるべき固定接点の両側を取り巻く電気的に相互接続された平行な二つの接点フィンガーを支持している。その接点筐体は、スイッチレバーと機械的に連結されており、それによって操作可能である。更に、そのスイッチレバーは、接点筐体の留め具用開口部に嵌まり込んで形状結合する留め具を備えることができる。両方の固定接点の中の一方は、任意選択により接点バーとして構成することができ、接点筐体が動いた場合に、接点フィンガーが、その接点バー上をスライドする。
【０００５】
これらの負荷タップ切換器における転換切換用の周知の機械式スイッチ接点に関する操作メカニズムは、二つの終端位置の間で転換切換が行なわれ、そのため、往復する切換運動を必要とすることが共通している。
【０００６】
特許文献３は、タップ切換器の負荷開閉器用のバネスプリング式駆動部を開示しており、そのエネルギー蓄積バネは、駆動部によって付勢することが可能であり、その駆動部のシャフトは、時計方向又は反時計方向に回転可能であり、転換切換プロセス時にエネルギー蓄積バネによって駆動される、接点を動かすための部材は回転運動を行う。その接点を動かすための部材は、例えば、カム円板又はジブ式制御部とすることができる。これらのエネルギー蓄積バネと駆動される部材は、駆動部の回転方向と関係無く一方向にのみ回転可能な連結部材と接続されている。この周知のバネスプリング式駆動部は、接点をシーケンス制御する役割を果たすとともに、特に、サイリスタ式負荷開閉器に適している。
【先行技術文献】
【特許文献】
【０００７】
【特許文献１】ドイツ特許第１００５０８２１号明細書
【特許文献２】国際特許公開第２００７／０４２０８８号明細書
【特許文献３】国際特許公開第８９／０８９２４号明細書
【発明の概要】
【発明が解決しようとする課題】
【０００８】
本発明の課題は、操作シャフトの回転方向に関係無く、二つの終端位置の間における信頼できる機械的かつ電気的な接点動作を実行する、確実な動作の機械式スイッチ接点を提案することである。
【課題を解決するための手段】
【０００９】
本発明の課題は、独立請求項に記載された内容によって実現される。本発明の有利な改善構成の特徴は、従属請求項から得られる。本発明は、本課題を実現するために、特に、タップ付変成器の負荷タップ切換器に使用することができる、接点の遮断、接点の開閉又は接点の転換のための機械式スイッチ接点を提案する。この機械式スイッチ接点は、互いに独立して動く、それぞれ二つの終端位置の間を旋回可能である、電気を通す形で相互接続された少なくとも二つの接点、接点構造群又は接点フィンガー集合体を備えており、それらは、それぞれ複式レバー継手を介して、回転可能な切換シャフトと連動する形で接続されており、そのシャフトは、巡回する案内ジブによって、複式レバー継手を操作して、それと連動して接点又は接点構造群の位置をずらず役割を果たす。
【００１０】
そのような本発明による機械式スイッチ接点は、遮断スイッチ又は転換スイッチとして構成されており、例えば、タップ付変成器において、大きな負荷を加えることが可能である信頼できる機械的かつ電気的な転換切換を実行するように動作する。この場合、有利には、両方の旋回可能な接点又は接点フィンガー集合体は、回転可能な切換シャフトに対して平行に配置された通電されている共通のシャフトに軸支されている。しかし、任意選択により、接点又は接点フィンガー集合体は、それと異なる形で、例えば、前記の軸に対して垂直に軸支することもできる。更に、両方の旋回可能な接点又は接点フィンガー集合体の各々には、接点として構成された通電されている別個の機械式のストッパーが対応しており、そのストッパーは、遮断スイッチ、開閉スイッチ又は転換スイッチをそれぞれ切り換えるべき終端位置を構成する。
【００１１】
本発明による機械式スイッチ接点は、確実な動作の電気開閉スイッチ又は転換スイッチを提供し、その切換フィンガーは、回転する湾曲ジブ又は円板カムによって強制的に駆動され、そのため非常に正確かつ確実に制御することができる、詳しくは、湾曲ジブ又は円板カムの回転方向に関係無く、その湾曲した構造に応じて制御することができる。多くの用途において、例えば、高圧電力領域における周知のタップ切換器又は負荷開閉器等の場合と同様に、往復運動による駆動部ではなく、開閉スイッチ又は転換スイッチの回転する、場合によっては、方向に関係の無い操作動作を活用できることが特に有利である。
【００１２】
更に、機械式スイッチ接点の第一の終端位置では、第一の接点構造群又は第一の接点フィンガー集合体が、それに対応する通電されている機械式ストッパーに当接して、通電されている共通のシャフトとそのストッパーの間の通電接続を形成する一方、第二の接点構造群又は第二の接点フィンガー集合体は、それに対応する通電されている機械式ストッパーから引き離されるものと規定することができる。そのような両方の接点フィンガー集合体が独立して旋回することによって、両方の切換端子を同時に接触させない転換動作を実現できることを保証することができる。即ち、機械式スイッチ接点の第二の終端位置では、第一の接点フィンガー集合体は、それに対応する通電されている機械式ストッパーから引き離される一方、第二の接点フィンガー集合体は、それに対応する通電されている機械式ストッパーに当接して、通電されている共通のシャフトとそのストッパーの間の通電接続を形成する。
【００１３】
この切換シャフト、それと一緒に回転しない形で接続された円板形状の案内ジブ及び接点フィンガー集合体と案内ジブの間に配置された複式レバー継手によって、接点フィンガー集合体は、所望の通り各終端位置の間を旋回する。そのため、両方の接点フィンガー集合体は、選択的に互いに機械的に連結される。円板形状の案内ジブ又はカム円板に配置された運動軌道の湾曲形態に応じて、接点フィンガー集合体は、僅かに互いに遅れて旋回可能であり、それに応じて切換可能であり、そのため、短い切換時間の間に、先ずは一方の接点フィンガー集合体の通電接点を閉じた後、他方の接点フィンガー集合体の通電接点を開いて、一回の切換プロセスは終了する。
【００１４】
前述した通り、接点フィンガー集合体又は接点構造群は、切換シャフトの回転方向に関係無く操作可能であり、そのため、繰り返し回転運動した場合に、その切換シャフトは、それぞれ両方の接点フィンガー集合体の同じ、或いは異なる旋回運動を引き起こすことができる。これらの案内ジブは、有利には、それぞれ切換シャフトと一緒に回転しない形で接続された円板に配置されており、それぞれ各複式レバー継手を操作するためのボルトを案内し、円板が切換シャフトと一緒に回転した場合に、相応の形状の操作ジブ又は案内ジブによって、このボルトの位置をずらすことができる。本発明の実施形態では、各複式レバー継手の片側をフレーム又は筐体に固定された形で軸支された第一のレバーが、案内ジブに沿ってスライドするボルトを有し、その自由端を接点フィンガーと旋回可能な形で係合された第二のレバーと連結することができる。このボルトは、有利には、フレーム又は筐体に固定された軸受けと第一のレバーの自由端の間に配置されており、そのため、案内軌道部の変位が小さい場合でも、各接点フィンガー集合体を旋回させるのに足りる充分なレバー動作を実現することができる。
【００１５】
前述した通り、両方の接点フィンガー集合体又は接点構造群は、切換シャフトの回転方向を変更すること無く、開閉スイッチ、遮断スイッチ又は転換スイッチとして繰り返し操作することができる。従って、本発明による機械式スイッチ又は転換スイッチは、一つの方向に対して複数回切り換えることができる。この切換シャフトは、例えば、ステップギヤ機構を介して、固定したステージ構成を保証できるように、既存の回転駆動部と連結することができる。
【００１６】
更に、湾曲ジブ又は円板カムを好適に実現、構成することによって、接点を開く行程でも、駆動シャフトの回転角に関しても、ほぼ任意の切換角度及び切換傾斜を実現することができる。
【００１７】
更に、ここで詳しく説明しなかった変化形態は、同様に実現できる三相構成を規定する。そのような三相構成では、複数の接点フィンガー集合体をそれぞれ共通の連接シャフト上に軸支して、各連接シャフトに配分することができる。
【００１８】
以下において、次に説明する図面を用いた実施例に基づき本発明を詳しく説明する。
【図面の簡単な説明】
【００１９】
【図１】本発明による機械式スイッチ接点の実施形態の模式的な斜視図
【図２】図１の機械式スイッチ接点の別の斜視図
【図３】図２のスイッチ接点の別の斜視図
【図４】図２のスイッチ接点の更に別の斜視図
【発明を実施するための形態】
【００２０】
以下で説明する実施例は、本発明を制限するものと解釈せず、本発明による機械式スイッチ接点の機能を説明する役割を果たすものと解釈すべきである。図１〜４の模式図は、特に、タップ付変成器の負荷タップ切換器において使用できる、転換切換用の機械式スイッチ接点１０を図示している。この実施例に図示された機械式スイッチ接点１０は、それぞれ二つの終端位置の間を旋回可能である、通電されている形で相互接続された二つの接点フィンガー１２と１４を備えており、それらの接点フィンガーは、それぞれ複式レバー継手１６を介して、回転可能な切換シャフト１８と連動する形で接続されている。この切換シャフト１８の上方と下方には、通電されている共通のシャフト２０に旋回可能な形で軸支された接点フィンガー１２と１４が配置されており、それらの間には、それぞれ複式レバー継手１６を案内し、動かす役割を果たす複数の円板カム２２ａ，２２ｂ，２２ｃが配置されている。そのために、円板カム２２ａ，２２ｂ，２２ｃは、それぞれ複式レバー継手１６を回動自在に連結させた、それと連動して接点フィンガー１２と１４の位置をずらす役割を果たす、巡回する案内ジブ２４を備えている。
【００２１】
この図示された機械式スイッチ接点１０は、転換スイッチ又は遮断スイッチとして構成されており、そのため、両方の旋回可能な接点フィンガー１２と１４は、通電されてい形で接続されるとともに、共通のシャフト２０に軸支されている。このシャフト２０は、回転可能な切換シャフト１８に対して平行に配置されている。更に、両方の旋回可能な接点フィンガー１２と１４の各々には、それぞれ切り換えるべき終端位置を構成する通電されている別個の機械式のストッパー２６と２８が配備されている。即ち、上方の接点フィンガー１２は、第一のストッパー２６に対応して、第一の切換位置で、そのストッパーに当接して通電し、そのため、シャフト２０と第一のストッパー２６の間の通電接続を形成する。下方の接点フィンガー１４は、第二のストッパー２８に対応し、第二の切換位置で、そのストッパーに当接して通電し、そのため、シャフト２０と第二のストッパー２８の間の通電接続を形成する。図１〜４に図示された第二の切換位置では、第一の接点フィンガー１２は、第一のストッパー２６から引き離されている一方、第二の接点フィンガー１４は、第二のストッパー２８と当接している。それに対して、（ここでは図示されていない）転換切換プロセスの間に、両方の接点フィンガー１２と１４は、短い時間それに対応する接点ストッパー２６又は２８と当接し、そのため、この転換スイッチは、短い時間二つの接点を閉じていた。
【００２２】
任意の方向への切換シャフト１８の回転、それと連動した円板カム２２とそこに配置された案内ジブ２４の回転、並びにそれによって引き起こされる接点フィンガー１２，１４と案内ジブ２４の間に配置された複式レバー継手１６の旋回運動によって、接点フィンガー１２と１４は、所望の通りそれぞれの終端位置の間を旋回する。両方の接点フィンガー１２と１４は、案内ジブ２４を介して、互いに機械的に連結されている。円板カム２２に配置された案内ジブ２４及びそれにより形成される運動軌道の湾曲形態に応じて、接点フィンガー１２と１４は、僅かに互いに遅れて旋回可能であり、それに対応して切換可能であり、そのため、短い切換時間の間に、先ずは一方の接点フィンガー１２の通電接点が閉じられた後、他方の接点フィンガー１４の通電接点が開かれて、一回の切換プロセスが終了する。
【００２３】
図２〜４に図示された固定フレーム３０は、シャフト２０及びストッパー２６と２８、並びにそれと接続された、或いはそれに軸支された可動部分を繋止及び軸支する役割を果たている。図４により、特に、相互接続された複数のレバー３２と３４から構成される複式レバー継手１６の動きが明らかとなる。各複式レバー継手１６の片側をフレーム又は筐体に固定された形で軸支された長い方のレバー３２は、案内ジブ２４に沿ってスライドするボルト３６を有し、そのボルトは、レバーの固定フレーム３０との旋回可能な繋止部よりもレバーの自由端３８の近くに配置されている。長い方のレバー３２の自由端３８には、シャフト４２を介して、短い方のレバー３４が軸支されており、そのレバーの他方の端部は、接点フィンガー１４と旋回可能な形で係合している。このボルト３６は、案内軌道２４の位置のずれが小さい場合でも、接点フィンガー１４を旋回させるのに足りる充分なレバーの動きを実現できるように、フレーム又は筐体に固定された軸受け４０と長い方のレバー３２の自由端３８の間に配置されている。上方の接点フィンガー１２は、相応の手法で同様の構成及び寸法の複式レバー継手１６を介して、その継手に対応する案内軌道２４と連結されており、そのため、回転方向に対して互いにずれた同様の形態の案内軌道２４によって、両方の接点フィンガー１２と１４の所望のずれた旋回運動を引き起こすことができる。
【００２４】
図示された通り、接点フィンガー１２と１４は、切換シャフト１８の回転方向に関係無く操作可能であり、そのため、切換シャフト１８は、繰り返し回転運動した場合に、それぞれ両方の接点フィンガー１２と１４の同じ形態の旋回運動を引き起こす。本発明による機械式スイッチ接点１０は、確実な動作の機械式転換スイッチを提供し、その切換フィンガー１２，１４は、回転するシャフト１８と円板カム２２によって、強制的に案内され、そのため、非常に正確かつ確実に制御することができる、詳しくは、シャフトの回転方向に関係無く制御することができる。
【００２５】
両方の接点フィンガー１２と１４は、図示されている通り、切換シャフト１８の回転方向を変えること無く、繰り返し遮断スイッチ、開閉スイッチ又は転換スイッチとして動作することができる。従って、本発明による機械式転換スイッチは、一つの方向に対して複数回切り換える、或いは開閉することができる。切換シャフト１８は、例えば、ステップギヤ機構を介して、固定したステージ構成を保証できるように、既存の回転駆動部と連結することができる。
【図１】
2013527565.tif 000003
【図２】
2013527565.tif 000004
【図３】
2013527565.tif 000005
【図４】
2013527565.tif 000006
【手続補正書】
【提出日】平成23年12月1日(2011.12.1)
【手続補正１】
【補正対象書類名】明細書
【補正対象項目名】０００６
【補正方法】変更
【補正の内容】
【０００６】
特許文献３は、タップ切換器の負荷開閉器用のバネスプリング式駆動部を開示しており、そのエネルギー蓄積バネは、駆動部によって付勢することが可能であり、その駆動部のシャフトは、時計方向又は反時計方向に回転可能であり、転換切換プロセス時にエネルギー蓄積バネによって駆動される、接点を動かすための部材は回転運動を行う。その接点を動かすための部材は、例えば、カム円板又はジブ式制御部とすることができる。これらのエネルギー蓄積バネと駆動される部材は、駆動部の回転方向と関係無く一方向にのみ回転可能な連結部材と接続されている。この周知のバネスプリング式駆動部は、接点をシーケンス制御する役割を果たすとともに、特に、サイリスタ式負荷開閉器に適している。
特許文献４は、それぞれ接点支柱を介して二連式レバーと可動可能な形に接続された可動式接点部材を備えた負荷開閉器を記載している。その二連式レバーには、カムローラーが固定されている。そのローラーは、円板カム上のスロット形状のカムと係合している。その円板カムと接続されたシャフトが回転することによって、カムローラーがカムの上を動き、それが、二連式レバーの位置のずれとそれによる接点部材の開閉を引き起こしている。
【手続補正２】
【補正対象書類名】明細書
【補正対象項目名】０００７
【補正方法】変更
【補正の内容】
【０００７】
【特許文献１】ドイツ特許第１００５０８２１号明細書
【特許文献２】国際特許公開第２００７／０４２０８８号明細書
【特許文献３】国際特許公開第８９／０８９２４号明細書
【特許文献４】ドイツ特許公開第１６１３６４６号明細書
【手続補正３】
【補正対象書類名】特許請求の範囲
【補正対象項目名】全文
【補正方法】変更
【補正の内容】
【特許請求の範囲】
【請求項１】
タップ付変成器の負荷タップ切換器用の機械式スイッチ接点（１０）であって、
それぞれ二つの終端位置の間を旋回可能である、通電されている形で相互接続された少なくとも二つの接点フィンガー又は接点フィンガー集合体（１２，１４）が配備され、それらが、それぞれ複式レバー継手（１６）を介して、回転可能な切換シャフト（１８）と連動する形で接続されており、その切換シャフトは、複式レバー継手（１６）を操作するとともに、それと連動して接点フィンガー又は接点フィンガー集合体（１２，１４）の位置をずらすための巡回する案内ジブ（２４）を備えている機械式スイッチ接点において、
接点フィンガー又は接点フィンガー集合体（１２，１４）が、切換シャフト（１８）の回転方向に関係無く操作可能であり、この切換シャフトが、繰り返し回転運動した場合に、それぞれ両方の旋回可能な接点フィンガー又は接点フィンガー集合体（１２，１４）の同じ形態の旋回運動を引き起こすことを特徴とする機械式スイッチ接点。
【請求項２】
両方の旋回可能な接点フィンガー又は接点フィンガー集合体（１２，１４）が、通電されている共通のシャフト（２０）に軸支されていることと、
両方の旋回可能な接点フィンガー又は接点フィンガー集合体（１２，１４）の各々には、それぞれ切り換えるべき終端位置を構成する別個の機械式の通電されているストッパー（２６，２８）が対応していることと、
この共通のシャフト（２０）が、回転可能な切換シャフト（１８）に対して平行に配置されていることと、
を特徴とする請求項１に記載の機械式スイッチ接点。
【請求項３】
機械式スイッチ接点（１０）の第一の終端位置では、第一の接点フィンガー又は第一の接点フィンガー集合体（１２）が、それに対応する通電されている機械式ストッパー（２６）に当接して、通電されている共通のシャフト（２０）とストッパー（２６）の間の通電接続を形成する一方、第二の接点フィンガー又は第二の接点フィンガー集合体（１４）が、それに対応する通電されている機械式ストッパー（２８）から引き離されていることを特徴とする請求項１又は２に記載の機械式スイッチ接点。
【請求項４】
機械式スイッチ接点（１０）の第二の終端位置では、第一の接点フィンガー又は第一の接点フィンガー集合体（１２）が、それに対応する通電されている機械式ストッパー（２６）から引き離されている一方、第二の接点フィンガー又は第二の接点フィンガー集合体（１４）が、それに対応する通電されている機械式ストッパー（２８）に当接して、通電された共通のシャフト（２０）とストッパー（２６）の間の通電接続を形成することを特徴とする請求項１から３までのいずれか一つに記載の機械式スイッチ接点。
【請求項５】
両方の旋回可能な接点フィンガー又は接点フィンガー集合体（１２，１４）が、機械的に相互接続されており、僅かに互いに遅れて操作可能又は旋回可能であり、それにより切換可能であることを特徴とする請求項４に記載の機械式スイッチ接点。
【請求項６】
案内ジブ（２４）が、それぞれ切換シャフト（１８）と一緒に回転しない形で接続された円板カム（２２ａ，２２ｃ，２２ｃ）に配置されており、それぞれ各複式レバー継手（１６）を操作するためのボルト（３６）を案内して、その位置をずらすことを特徴とする請求項１から５までのいずれか一つに記載の機械式スイッチ接点。
【請求項７】
各複式レバー継手（１６）の片側をフレーム又は筐体に固定されている形で軸支された第一のレバー（３２）が、案内ジブ（２４）に沿ってスライドするボルト（３６）を備えるとともに、その自由端（３８）が、接点フィンガー又は接点フィンガー集合体（１２，１４）に旋回可能な形で係合された第二のレバー（３４）と連結されていることを特徴とする請求項６に記載の機械式スイッチ接点。
【請求項８】
当該のボルト（３６）が、第一のレバー（３２）のフレーム又は筐体に固定された軸受け（４０）と自由端（３８）の間に配置されていることを特徴とする請求項７に記載の機械式スイッチ接点。
【国際調査報告】
2013527565.tif 000007
2013527565.tif 000008
2013527565.tif 000009
2013527565.tif 000010